(57)【要約】  【課題】  短時間での開削および埋戻し作業を可能とし、交通障害の緩和するとともに工事コストを削減する。  【解決手段】  円筒形状のドラム(2)の一方の開口端に切削歯(4)を備えた円筒形状の円筒型カッター(6)と、該円筒型カッターの他方の開口端を着脱自在に固定する駆動体(8)と、を備え、該駆動体は、前記円筒型カッターを軸回転させて道路（１２）の舗装面を含む土砂(14)を切削し、土砂をもとの形状を維持させたまま半円柱状の土砂塊(14')に切り取る。【選択図】  図２
2005240446.tif 000002
【特許請求の範囲】
【請求項１】
円筒形状のドラム（２）の一方の開口端に切削歯（４）を備えた所定長さを有する円筒形状の円筒型カッター（６）と、
該円筒型カッターの他方の開口端を着脱自在に固定する駆動体（８）と、を備え、
該駆動体は、前記円筒型カッターを軸回転させて道路（１２）の舗装面を含む土砂（１４）を切削し、土砂をもとの形状を維持させたまま半円柱状の土砂塊（１４’）に切り取る、ことを特徴とする円筒型カッターを備えた開削カッター機。
【請求項２】
前記円筒型カッター（６）の進行方向と垂直に土砂（１４）を切断して半円柱状の土砂塊（１４’）を道路から切り離すための円盤型カッター（１６）を備えた、ことを特徴とする請求項１に記載の円筒型カッターを備えた開削カッター機。
【請求項３】
前記切削歯（４）には、軸回転する円筒型カッター（６）と土砂（１４）との摩擦を低減するとともに、土砂塊（１４’）の形状を維持させるため滑剤兼凝固剤を噴出する噴出口（１８）が形成されている、ことを特徴とする請求項１又は２に記載の円筒型カッターを備えた開削カッター機。
【請求項４】
前記円筒型カッター（６）は、切削歯（４）が取り付けられた外ドラム（２ａ）と該外ドラムの内側に位置する内ドラム（２ｂ）との二重円筒からなり、
該内ドラムは軸回転する外ドラムに対して円滑に摺動する、ことを特徴とする請求項１乃至３に記載の円筒型カッターを備えた開削カッター機。
【請求項５】
前記円筒型カッター（６）の内部には、付勢手段（２２）に取り付けられた板状の押板（２４）が備えられ、該押板は付勢手段により土砂塊（１４’）の舗装面を下方に付勢して、円筒型カッター内での土砂塊の回転を抑制する、ことを特徴とする請求項１乃至４に記載の円筒型カッターを備えた開削カッター機。
【請求項６】
前記円筒型カッター（６）は、一方又は両方の開口端において蓋をなす蓋板（２６）を取り付けるための取付構造を有する、ことを特徴とする請求項１乃至５に記載の円筒型カッターを備えた開削カッター機。
【請求項７】
前記円筒型カッター（６）の他方の開口端には、円筒型カッターの長さを延長するための延長筒（３２）が着脱自在に連結される、ことを特徴とする請求項1乃至６に記載の円筒型カッターを備えた開削カッター機。
【請求項８】
前記円筒型カッター（６）の昇降を行う昇降手段（３４）を備えた、ことを特徴とする請求項1乃至７に記載の円筒型カッターを備えた開削カッター機。
【発明の詳細な説明】
【技術分野】
【０００１】
本発明は道路（舗装された道全般を指す）の浅層に電線の管路、ガス管、光ファイバーケーブルなどの長尺物（以下「管路等」という。）を敷設するために用いられる開削カッター機に関し、より詳細には、道路を掘削して掘削溝を形成し、その中に管路等を敷設した後に掘削溝の埋め戻しを行う管路敷設工事において、浅層に管路等を敷設するための新たな開削工法の実施に利用される円筒型カッターを備えた開削カッター機に関する。
【背景技術】
【０００２】
従来から道路下の比較的浅い位置に管路等を敷設する場合には、作業が容易で、かつ、工事費が比較的低廉な開削工法が用いられている。開削工法とは、重機などを用いて地上より直接土砂を掘削し、形成した掘削溝に管路等を敷設した後にこれを埋め戻す工法である。
【０００３】
しかしながら開削工法のほとんどは道路を使用して行われるため、工事中は車線規制による交通障害が大きな問題となっている。そのため交通量の多い道路では、夜間など交通量が比較的少ない限られた時間帯にのみに工事の実施が制限されていた。すなわちその様な道路の開削工法による工事では、夜間に交通量が減少してから車線規制を行って掘削を開始し、交通量が増加してくる明け方までに、形成した掘削溝を一時的に埋め戻して仮復旧の工事を完了して道路を開放なければならなかった。そして翌日には再び前日の続きから掘削を行って敷設工事を継続していた。そのためこのような敷設工事は、かかる制約がない敷設工事の場合と比較して、数分の一程度しか一日の工事が進まないことも多く、その結果、工事に要するコストも格段に上昇しているといった問題があった。
【０００４】
交通障害の問題を解決するために、シールド工法や推進工法などに代表される様々な非開削工法も開発されている。非開削工法とは、一般に発進立坑から掘削機を送り出し、掘削機に接続した鋼管、ヒューム管等を後方から油圧ジャッキ等で押しながら地中を推進させて管路等を敷設する工法である。非開削工法は車線規制が発進・到達立坑の一区間だけですむため、開削工法の場合と比較して、地上の交通に大きな影響を与ることも少なく、工事に伴う騒音も広範囲に及ばず、また処理しなければならない残土（舗装面や土など）の発生量も少ないため、環境に与える負荷も小さいといった優れた点を有している。しかしその反面、発進基地に広大なスペースを要し、また工事コストが高くつくといった問題があった。
そのため非開削工法は大規模な管路敷設工事や地中の深い位置の管路敷設工事に用いられるのが通常であり、浅層に管路等を敷設する場合には採用されることは少なかった。
【０００５】
このように開削工法、非開削工法にはそれぞれ一長一短があり、それぞれの工法についてその短所を改善すべく様々な改良がなされているが、未だ十分な効果をあげるものはなかった。
【特許文献１】特開２００２−２１０９８
【特許文献２】特開２００３−１８５０５８
【発明の開示】
【発明が解決しようとする課題】
【０００６】
上述したように浅層に管路等を敷設する場合には、その簡易性等から開削工法が採用されるのが未だに一般的である。そのため開削工法では、作業の容易性、低工事コスト等の長所を維持・向上させつつ、(1)工事中の交通障害、(2)工期の長期化、(3)発生残土による環境負荷、(4)工事騒音、等の課題を解決して、電線地中化に代表される敷設工事の要求に対応していくことが重要となる。
【０００７】
本発明は上記課題を解決するために提案されたもので、工事効率を向上させて工期を短縮することで交通に与える障害の発生期間を可能な限り短縮するとともに工事コストを削減し、また工事に伴う車線規制を最小限に抑え、さらに環境負荷の軽減を実現するために用いられる円筒型カッターを備えた開削カッター機を提供することを目的とする。
【課題を解決するための手段】
【０００８】
上記目的を達成するため、請求項１に記載の円筒型カッターを備えた開削カッター機は、円筒形状のドラム（２）の一方の開口端に切削歯（４）を備えた所定長さを有する円筒形状の円筒型カッター（６）と、該円筒型カッターの他方の開口端を着脱自在に固定する駆動体（８）と、を備え、該駆動体は、前記円筒型カッターを軸回転させて道路（１２）の舗装面を含む土砂（１４）を切削し、土砂をもとの形状を維持させたまま半円柱状の土砂塊（１４’）に切り取る、ことを特徴とする。
【０００９】
請求項２に記載の円筒型カッターを備えた開削カッター機は、前記円筒型カッター（６）の進行方向と垂直に土砂（１４）を切断して半円柱状の土砂塊（１４’）を道路から切り離すための円盤型カッター（１６）を備えた、ことを特徴とする。
【００１０】
請求項３に記載の円筒型カッターを備えた開削カッター機は、前記切削歯（４）には、軸回転する円筒型カッター（６）と土砂（１４）との摩擦を低減するとともに、土砂塊（１４’）の形状を維持させるため滑剤兼凝固剤を噴出する噴出口（１８）が形成されている、ことを特徴とする。
【００１１】
請求項４に記載の円筒型カッターを備えた開削カッター機は、前記円筒型カッター（６）は、切削歯（４）が取り付けられた外ドラム（２ａ）と該外ドラムの内側に位置する内ドラム（２ｂ）との二重円筒からなり、該内ドラムは軸回転する外ドラムに対して円滑に摺動する、ことを特徴とする。
【００１２】
請求項５に記載の円筒型カッターを備えた開削カッター機は、前記円筒型カッター（６）の内部には、付勢手段（２２）に取り付けられた板状の押板（２４）が備えられ、該押板は付勢手段により土砂塊（１４’）の舗装面を下方に付勢して、円筒型カッター内での土砂塊の回転を抑制する、ことを特徴とする。
【００１３】
請求項６に記載の円筒型カッターを備えた開削カッター機は、前記円筒型カッター（６）は、一方又は両方の開口端において蓋をなす蓋板（２６）を取り付けるための取付構造を有する、ことを特徴とする。
【００１４】
請求項７に記載の円筒型カッターを備えた開削カッター機は、前記円筒型カッター（６）の他方の開口端には、円筒型カッターの長さを延長するための延長筒（３２）が着脱自在に連結される、ことを特徴とする。
【００１５】
請求項８に記載の円筒型カッターを備えた開削カッター機は、前記円筒型カッター（６）の昇降を行う昇降手段（３４）を備えた、ことを特徴とする。
【発明の効果】
【００１６】
請求項１に記載の発明は、開口端に切削歯を備えた特殊な円筒型カッターを備えた開削カッター機であることを特徴としている。この開削カッター機は、駆動体により円筒型カッターを軸回転させるとともに、カッター機を軸方向に押し出して推進させることで、円筒型カッターによって舗装面を含む土砂をその形状を維持させたままくり貫いて、道路に掘削溝を形成する。
このように本発明の開削カッター機によれば、道路の土砂を半円柱状の土砂塊としてその形状を維持したまま効率的にくり貫くことができ、また、その土砂塊はそのまま埋め戻しに利用することができるので、極めて効率的に道路の復旧を行うことができるようになる。
すなわち本発明の開削カッター機によれば、短時間かつ少人数での開削および埋戻し作業が可能となり、その結果として、敷設工事の効率向上、工期短縮による交通障害緩和、工期短縮および人員削減による工事コストの低減、土砂の再利用による環境負荷の軽減、埋戻しの際の騒音低減、等を達成することができる。
なお管路等の敷設は、形成した掘削溝の底部に管路等を埋設するのに必要な大きさの小溝をさらに形成し、ここに管路等を敷設した後に小溝のみを埋め戻し、掘削溝の形状を切削時の形状に整えた後に、くり貫いた半円柱形の土砂塊をそのままもとの位置に戻すことにより行われる。
また本発明の開削カッター機は、エンジン又はモータを動力として円筒型カッターを軸回転させて道路の切削を行うが、このカッター機は重機車両と比較して小型に構成することが可能であるため、作業に要するスペースも少なくすみ、車線規制による交通障害も最小限に抑えることができる。
このように本発明の円筒型カッターを備えた開削カッター機を用いれば、従来の開削工法による敷設工事の交通事情悪化などの問題点を改善しつつ、今後の電線地中化の進展に代表される地中敷設物への必要性の高まりを満足させることが可能となる。
【００１７】
請求項２に記載の発明は、円筒型カッターによりその軸方向（掘削溝の延長方向）に切削した土砂を、軸方向と垂直方向に切削するための円盤型カッターを備えている。この円盤型カッターは、円筒型カッターにより切削した土砂塊の先端を切断し、半円柱状の土砂塊を道路から切り離す。これにより土砂塊を円筒型カッターに内包させた状態でその取り出し等を行うことができるようになる。
なお、円盤型カッターによる土砂の切断は従来の円盤型カッター機を用いて行うことも可能であるが、円筒型カッターと円盤型カッターを一つのカッター機に取り付けることで、必要とされる装置を少なくすることができる。
【００１８】
請求項３に記載の発明によれば、円筒型カッターの切削歯に、滑剤兼凝固剤を噴出するための噴出口を設けることで、切削歯と土砂に均等に滑剤兼凝固剤を供給しながら切削を行うことができるようになる。なお噴出口から供給される滑剤兼凝固剤は、切削歯と土砂との間の摩擦を軽減してスムーズな切削を可能とするとともに、土砂塊の形状より強固に維持させるためのものである。これにより、土砂をほとんど崩すことなく半円柱状の土砂塊として切り出すことができ、道路に掘削溝を形成して管路等を敷設した後に、くり貫いた土砂塊をそのままの形状で極めて容易に埋め戻しに利用することができるようになる。
【００１９】
請求項４に記載の発明によれば、円筒型カッターが外ドラムと内ドラムの二重円筒からなっているため、切削歯が取り付けられた外ドラムで土砂の切削を行ってくり貫いた土砂塊を、回転する外ドラムと円滑に摺動する内ドラムによって支えることで、切削した土砂塊が円筒型カッター内で土砂崩れを起こすことを有効に防ぐことができる。
【００２０】
請求項５に記載の発明によれば、押板によって円筒型カッター内の土砂塊を下方に付勢して押さえることで、円筒型カッターの回転にも影響されることなく土砂塊を円筒型カッター内の底部側に保持し、土砂塊が円筒型カッター内で土砂崩れを起こすことを効果的に防止することができる。
【００２１】
請求項６に記載の発明によれば、円筒型カッターの開口端に、蓋板を取り付けることができるため、道路から分離した土砂塊を内包する円筒型カッターを移動させる際などにも、土砂塊の崩れを防止することができる。
【００２２】
請求項７に記載の発明によれば、円筒型カッターの長さを適宜延長することができるので、切削の効率化を図ることができる。なお、適当な円筒型カッターの長さを選択することによっても、掘削の第一段階での発進穴を小さなものとし、掘削作業の効率化を図ることができる。
【００２３】
請求項８に記載の発明によれば、開削カッター機が円筒型カッターの昇降を行う昇降手段を備えているため、円筒型カッターの交換を容易に行うことができる。すなわち本発明の開削カッター機による掘削作業では、土砂塊を内包する円筒型カッターを、新たな円筒型カッターに順次交換することによって掘削溝の延長が行われるが、円筒型カッターを昇降させるための昇降手段を備えることによりその交換を容易化することができる。
【発明を実施するための最良の形態】
【００２４】
本発明は舗装道路下の比較的浅い位置に電線の管路、ガス管、光ファイバーケーブルなどの長尺物を敷設する開削工事に用いられるカッター機の一種である。例えば、特別高圧以下の送電ケーブルは深さ６０ｃｍの比較的浅い地中に敷設されるため、本発明のカッター機を用いて掘削作業を行うことができる。
【００２５】
図１に示したように、道路１２は、アスファルトやコンクリートなどの表層（舗装面）１１、砕石や土砂などの路盤１３から構成されており、管路等１５が路盤１３中に埋設される場合には、管路等１５を保護するためにその周囲に粒径の小さな砂質土１７が配置される。なお、舗装道路はその基礎となる土砂１４が整備されているため、浅い地層からは切削が困難な岩石などは予め除去されている。
【００２６】
以下、本発明の円筒型カッターを備えた開削カッター機の好ましい実施の形態を図面を参照して説明する。
図２は本実施例の開削カッター機１０の全体像を表した図であり、（ａ）は側面図、（ｂ）は平面図である。図３は本発明の開削カッター機に用いられる円筒型カッターを示した図である。
【００２７】
図２に示した本発明の開削カッター機１０は、動力を発生するカッター機本体２１と、道路１２の切削等を行うカッター等を備えたカッター部とから構成される。カッター機本体２１は、直方体形状の筐体の内部にエンジン（図示せず）を有し、その底部両側には開削カッター機１０の移動を容易に行うための２対４輪のタイヤ２５が取り付けられている。このタイヤ２５は一定の間隔で対向し、掘削した掘削溝を跨いで開削カッター機１０を前後に移動できるようになっている。円筒型カッター本体２１のエンジンは油圧を発生するための動力源となる。
【００２８】
カッター部は主に、基台２９、カッター支持部３０、駆動体８、円筒型カッター６、円盤型カッター１６とから構成されている。
【００２９】
図３に示した円筒型カッター６は、長さ８０ｃｍ、半径６０ｃｍ、１ｃｍ程度の肉厚の外ドラム２ａと、これとほぼ同じ半径で薄板により作成された内ドラム２ｂとからなる二重円筒であり、外ドラム２ａと内ドラム２ｂとは相互に滑らかに摺動することができるようになっている。外ドラム２ａの一方の開口端１ａには、軸方向に突出する切削歯４が設けられている。この切削歯４にはその先端近傍にカッター機本体２１から供給されるコンクリートミルなどの滑剤兼凝固剤を、切削する土砂１４に注入するための噴出口１８が設けられている。滑剤兼凝固剤は、外ドラム２ａの肉厚内を貫通する貫通穴３５（図には1つのみを示した）を通ってカッター機本体２１から供給されて噴出口１８に導かれる。この滑剤兼凝固剤は土砂と切削歯等との摩擦を低減してスムーズな切削を可能とするとともに、土砂塊の形状をより強固に維持させるためのものである。
また円筒型カッターの一方の開口端１ａ近傍の全周には、円筒型カッターの径方向から差し込まれて開口端１ａを塞ぐ蓋板２６を取り付けるための取付構造である差込穴２３が形成されている。さらに円筒型カッターの内ドラム２ｂには、切削して円筒型ドラム６内に収容した土砂塊１４’を、上方から抑えるための押板２４が備えられている。押板２４は付勢手段２２に取り付けられており、その開口端側の先端は曲面をなして、土砂塊が円筒型ドラム６内に進入する際にこれを妨げないようになっている。
【００３０】
詳細な図面は省略するが円盤型カッター１６は、半径６０ｃｍ、肉厚１ｃｍ程度の円形盤の外周部に切削歯が形成された金属製のカッターであり、従来から路面の切削に用いられている円盤型のカッターと同様のものである。円盤型カッター１６も円筒型カッター６と同様に油圧によって回転し、道路の切削を行う。
【００３１】
基台２９はカッター機本体の前面に突出する４本の支持ロッド３３によって支えられている。
【００３２】
カッター支持部３０は基台２９に取り付けられており、掘削溝形成方向（Ｘ方向）に延びる伸縮自在の水平材３１と、垂直方向（Ｚ方向）に延びる支持体（第１支持体３７ａ、第２支持体３７ｂ）とを有し、第１支持体３７ａには油圧により回転する駆動体８が取り付けられている。
駆動体８は、外ドラム２ａの他方の開口端１ｂ（切削歯の設けられた開口端と反対の開口端）を係止して、円筒型カッター６をその中心軸が掘削溝の方向（Ｘ方向）となるように固定する。
第２支持体３７ｂは、切削歯４を避けて外ドラム２ａおよび内ドラム２ｂを開口端１ａの上部において回転自在に挟止して支える推進ガイド３９を備え、その下端には補助輪４１が取り付けられている。
第１支持体３７ａは基台２９に取り付けられており、油圧によって基台２９に対して昇降手段３４により上下動することができるようになっている。すなわちカッター支持部３０の駆動体８に取り付けられた円筒型カッター６は、昇降手段３４によってカッター支持部３０と一体となって昇降でき、道路の切削時にはその約半分が路面下になる一方、引き上げられた際にはその全体が路面よりも高い位置にくるようになっている。
ここで第２支持体３７ｂの補助輪４１は、円筒型カッター６の昇降にかかわらず常に道路１２の舗装面と接触し、推進ガイド３９が円筒型カッターの開口端１ａを支えることで、駆動体８に取り付けられた円筒型カッター６がオーバーハング状態になることを防いでいる。
また第２支持体３７ｂには、掘削溝の形成方向と垂直方向（Ｙ方向）に道路１２を切削する円盤型カッター１６が取り付けられている。円盤型カッター１６は、円盤型カッターを回転させるとともに第２支持体３７ｂに対して昇降させる油圧駆動式の回転昇降機構４３に取り付けられている。
【００３３】
円筒型カッター６の駆動体８への取り付けは、円筒型カッターがその軸方向をＸ方向にして横向きに行われ、円盤型カッターはその径方向を円筒型カッターの軸方向と垂直になるように第２支持体３７ｂに取り付けられる。
【００３４】
なお、円筒型カッター６の他方の開口端１ｂには、円筒型カッター６の長さを延長するために、駆動体８と円筒型カッター６との間に取り付けられる延長筒３２（図６参照）を取り付けられるようになっている。延長筒３２の両開口端は、駆動体８と円筒型カッター６との取り付け構造と同様の構造を有している。この延長筒３２の取り付けは、カッター支持部３０の水平材３１を伸張させた上で行われる。
【００３５】
次に上述した円筒型カッターを備えたカッター機を用いた開削工事の工程を図面を用いて説明する。図４〜図８は開削工事の作業手順を側方から表したイメージ図である。
【００３６】
［カッター配置工程（図４）］
この工程は円筒型カッター６を始動位置に設置するために形成した発進穴４５にカッター機１０の駆動体８に取り付けた円筒型カッター６を配置する工程である。
まず円筒型カッター６を設置するために、縦１００ｃｍ、横１２０ｃｍ強、深さ６０ｃｍ程度の穴（発進穴）を道路に形成し、この上にカッター機１０を前進させる。その後、円筒型カッター６を、昇降手段３４によってその軸方向を路面と水平にしてそのほぼ半分が舗装面の下にくるように設置する。なお、一般には円筒型カッター６はその半分が舗装面の下にくるように配置されるが、半径長さよりも浅い深さであればよい。しかし、その半分以上が舗装面下にくることは望ましくない。
【００３７】
［切削工程（図５）］
この工程は円筒型カッター６および円盤型カッター１６により道路の切削を行う工程である。
カッター機１０に取り付けられた円筒型カッター６を、駆動体８によって軸回転させるとともに、カッター機１０を軸方向に押し出すことによって、切削歯４で舗装面１１を含む土砂１４をくり貫くように切削する。切削は円筒型カッター６の長さとほぼ同じ長さまで行われ、切削された土砂塊１４’は円筒型カッター内部の空間の下半分に収容される。すなわち土砂塊は円筒型カッター６の内周面と接しながら円筒型カッター６の回転によってもその位置と形状をかえることなく切削される。
土砂の切削は、土砂と円筒型カッター６との摩擦を低減するとともに、土砂塊の形状を維持させるための滑剤兼凝固剤、例えばセメントミルクを切削歯４の噴出口１８から補給しながら行われる。
このとき、外ドラム２ａと内ドラム２ｂとは円滑に摺動することができ、また、土砂塊が付勢手段２２に取り付けられた押板２３により上方から押さえられた状態で切削が行われるため、円筒型カッター内に収容される土砂塊が崩れることはほとんどない。
円筒型カッター６により円筒型カッター６の長さとほぼ同じ長さ分の切削が完了した後に、カッター機１０を若干引き戻し、土砂塊１４’の先端部分を、回転昇降機構４３に取り付けられた円盤型カッター１６によって、円筒型カッター６の進行方向と垂直に舗装面１１を含む土砂１４を切削し、半円柱形の土砂塊１４’を道路１３から分離する。その後再び円筒型カッター６を押し出して、道路から分離した土砂塊１４’を完全に円筒型カッター６の中に内包させる。以上の作業によって舗装面を含む土砂の切削の第１段階が完了する。
なお円盤型カッターによる土砂の切削は、円筒型カッター６による切削の前に行っておくことも可能である。この場合には予め掘削溝２７を形成する道路に、円筒型カッターの長さとほぼ同じ間隔で複数の平行の切れ込みを入れておくことになる。
【００３８】
［延長工程（図６）］
この工程は円筒型カッター６による切削を続けて掘削溝２７を段階的に延長して行く工程である。
まず切削工程で道路から分離した土砂塊を内包する円筒型カッター６を昇降手段３４によりリフトし、その後に駆動体８から取り外す（図４参照）。取り外した土砂塊を内包する円筒型カッター６は、形成した掘削溝２７の横側に移動して路面上に静置される。続いて円筒型カッター６を新たな円筒型カッターに取り替えて、上記カッター配置工程、切削工程および上述した円筒型カッター６の移動・交換を繰り返すことによって掘削溝２７を延長する。
ここで、土砂塊１４’を内包した円筒型カッター６を取り出す際には、土砂塊の崩れを防止するために、開口端１ａを蓋板２６で塞ぐことが好ましい。蓋板２６の取り付けは、蓋板２６を円筒型カッターの径方向上方から差し込み、図示しない蓋板の突部と円筒型カッターの差込穴２３とを係合することにより行う。
なお図面に示したように、適宜延長筒３２を円筒型カッター６と駆動体８との間に取り付けて切削を行うこともできる。延長筒３２を取り付けることで円筒型カッターの全長を延長して切削を行い、その下半分が土砂塊でいっぱいになった時点で新たな円筒型カッターに取り替えて切削を継続することで、掘削溝延長の作業効率を向上させることもできる。
【００３９】
［敷設工程（図７）］
この工程は掘削溝２７の底部に管路等１５を設置するために必要な大きさの小溝を形成して、そこに管路等を設置する工程である。
上記延長工程である程度掘削溝２７を延長した段階で、掘削溝の底部に管路等１５を設置するために必要な小溝４７を手掘りによって形成する。形成した小溝４７に管路等１５を設置した後に、粒径の小さな砂質土を用いて小溝のみの埋め戻しを行う。この埋め戻しは切削工程で形成した掘削溝がほぼもとの形状になるように行われる。
【００４０】
［埋戻し工程（図８）］
この工程は管路等を地中に設置した後に、切削工程でくり貫いた土砂塊１４’をもとの位置に戻して道路１２を復旧する工程である。
この工程ではまず、切削歯４の厚み分、すなわち切削歯４によって削り取られた土砂分の厚みを有する充填物を掘削溝とくり貫いた土砂塊との間に配置し、埋め戻した土砂塊の舗装面と道路の舗装面とが面一になるようにしてやることが好ましい。
そこでまず掘削溝の表面に一様に又は適当な間隔で土砂や生コンクリートを配置し、次にそこにくり貫き取り出した土砂塊１４’がおおよそもとの位置にくるように、ジャッキなどを用いて掘削溝の横側の路面上に静置しておいた土砂塊を内包する円筒型カッター６を移動させる。
その後、円筒型カッター６内の土砂塊１４’のみを付勢するとともに円筒型カッター６を引き抜き、土砂塊をもとの位置に戻してやる。この作業を全ての円筒型カッター６について行った後に、発進穴４５を従来の手順で埋め戻す。最後に、もとの位置に戻した土砂塊に上方から圧力をかけて安定させ、円盤型カッター１６によって道路１２にできた切れ込み、すなわち埋め戻した土砂塊が隣接する空間にピッチ等の充填剤を用いて補修してやる。また埋め戻した土砂塊１４’の舗装面と道路の舗装面との間に若干の隙間や段差が生じる場合にもこれをピッチ等を用いて補修してやる。このようにして管路等の敷設工事を完了する。
【００４１】
なお本発明の円筒型カッターを備えた開削カッター機は、舗装道路下の比較的浅い位置に電線の管路、ガス管、光ファイバーケーブルなどを敷設する場合に、円筒型カッターを用いて土砂の形状を維持させたまま地上から道路をくり貫いて掘削溝を形成するものであれば、上述した発明の実施の形態に限定されず、本発明の要旨を逸脱しない範囲で種々変更できることは勿論である。
【産業上の利用可能性】
【００４２】
上述したように本発明の円筒型カッターを備えた開削カッター機は、掘削や埋め戻しの工程にかかる手間の省力化や、短時間での開削および埋戻し作業を可能とし、これにより交通障害の発生期間を短縮するとともに工事コストを削減することができる。また円筒型カッターを用いた掘削作業は、従来の重機を用いた掘削作業に比べて作業に要するスペースも少なくてすむため、車線規制による交通障害も最小限に抑えることができる。さらに掘削した土砂のほとんど全てを埋め戻しに利用するため、作業に伴い発生する残土を減少させることができ、これにより環境に与える負荷も軽減することができる。加えて、削岩機や点圧機の使用時間も少なくてすむため耳障りな打撃音を減少させ、工事騒音の低減させることができる。
このように本発明の円筒型カッターを備えた開削カッター機を用いて開削工事を行えば、従来の開削工事の交通事情悪化などの問題点を改善し、電線地中化の進展に代表される地中敷設物への必要性の高まりを満足させることができるようになる。
【図面の簡単な説明】
【００４３】
【図１】舗装された道路と管路等の構成を表した断面図である。
【図２】本実施例の開削カッター機の構成図である。
【図３】本発明に用いられる円筒型カッターの斜視図である。
【図４】本実施例のカッター配置工程を表したイメージ図である。
【図５】本実施例の切削工程を表したイメージ図である。
【図６】本実施例の延長工程を表したイメージ図である。
【図７】本実施例の敷設工程を表したイメージ図である。
【図８】本実施例の埋戻し工程を表したイメージ図である。
【符号の説明】
【００４４】
１ａ  一方の開口端
１ｂ  他方の開口端
２  ドラム
２ａ  外ドラム
２ｂ  内ドラム
４  切削歯
６  円筒型カッター
８  駆動体
１０  開削カッター機
１１  表層（舗装面）
１２  道路
１３  路盤
１４  土砂
１４’  土砂塊
１５  管路等
１６  円盤型カッター
１７  砂質土
１８  噴出口
２１  カッター機本体
２２  付勢手段
２３  差込穴
２４  押板
２５  タイヤ
２６  蓋板
２７  掘削溝
２９  基台
３０  カッター支持部
３１  水平材
３２  延長筒
３３  支持ロッド
３４  昇降手段
３５  貫通穴
３７ａ  第１支持体
３７ｂ  第２支持体
３９  推進ガイド
４１  補助輪
４３  回転昇降機構
４５  発進穴
４７  小溝
【図１】
2005240446.tif 000003
【図２】
2005240446.tif 000004
【図３】
2005240446.tif 000005
【図４】
2005240446.tif 000006
【図５】
2005240446.tif 000007
【図６】
2005240446.tif 000008
【図７】
2005240446.tif 000009
【図８】
2005240446.tif 000010